(57)【要約】【課題】  確認応答データの送信に遅延が生じない無線ＬＳＩを提供する。【解決手段】  送受信部２０Ａ内に設けられたラッチ回路２５により、受信中の受信データＲＤからフレーム制御情報をラッチし、デコーダ２６でこのフレーム制御情報を解読してアドレス領域のデータ長とデータ構造をデコードする。更に、ラッチ回路２５により、デコードしたアドレス領域の情報に従って受信データＲＤのアドレス領域のデータをラッチする。比較回路２８では、送信すべきデータの準備が完了している相手側のアドレスを登録したレジスタ２７の内容と、受信中の受信データＲＤの発信元アドレスとを比較し、確認応答データにおけるフレーム保留のセット／リセットを決定する。決定内容はデータリンク部３０Ａに渡される。これにより、受信データＲＤの受信完了前に確認応答データに必要な情報が得られるので、確認応答データの送信に遅延を生じさせることがない。【選択図】      図１
2006229525.tif 000002
【特許請求の範囲】
【請求項１】
所定の無線通信規格に従って送られて来る無線信号を復調して所定のフォーマットの受信データを復元すると共に、該受信データで指定された情報に応じて生成された確認応答データを変調して該無線通信規格に従った無線信号で送信する送受信部と、前記送受信部で復元された前記受信データを受け取り、該受信データに対する応答要求が指定されている場合には前記確認応答データを生成するデータリンク部とを備えた無線集積回路において、
前記送受信部は、
前記復元中の受信データを監視し、該受信データ中で発信元のアドレスの表示形式に関する情報を含むフレーム制御情報を保持する第１の保持手段と、
前記第１の保持手段に保持された前記フレーム制御情報を解読し、前記受信データ中で前記発信元のアドレスが表示されるアドレス領域のデータ長と構成の情報を出力する解読手段と、
前記解読手段から出力される前記アドレス領域のデータ長と構成の情報に従い、前記復元中の受信データから前記発信元のアドレスを保持する第２の保持手段と、
前記確認応答データに引き続いて送信すべきデータが存在する相手のアドレスを登録する登録手段と、
前記第２の保持手段に保持された前記発信元のアドレスと前記登録手段に登録された相手のアドレスとを比較して比較結果を前記データリンク部へ与える比較手段とを、
有することを特徴とする無線集積回路。
【請求項２】
所定の無線通信規格に従って送られて来る無線信号を復調して所定のフォーマットの受信データを復元すると共に、該受信データで指定された情報に応じて生成された確認応答データを変調して該無線通信規格に従った無線信号で送信する送受信部と、前記送受信部で復元された前記受信データを受け取り、該受信データに対する応答要求が指定されている場合には前記確認応答データを生成するデータリンク部とを備えた無線集積回路において、
前記送受信部は、
前記復元中の受信データを監視し、該受信データ中で発信元のアドレスの表示形式に関する情報を含むフレーム制御情報を保持する保持手段と、
前記保持手段に保持された前記フレーム制御情報を解読し、前記受信データ中で前記発信元のアドレスが表示されるアドレス領域のデータ長と構成の情報を出力する解読手段と、
前記解読手段から出力される前記アドレス領域のデータ長と構成の情報に従って前記復元中の受信データを監視し、該受信データによって前記発信元のアドレスのデータが確定した時点で、前記データリンク部へ割り込みを行って該発信元のアドレスのデータを通知する割り込み制御手段とを、
有することを特徴とする無線集積回路。
【発明の詳細な説明】
【技術分野】
【０００１】
本発明は、物理層のインタフェースがＩＥＥＥ（米国電気電子技術者協会）802.15.4に準拠し、無線ＬＡＮ(Local Area Network)規格のＩＥＥＥ802.11b と同じ２．４ＧＨｚ帯の周波数帯域を１６のチャンネルに分割して利用する近距離無線通信技術の規格の１つであるＺｉｇＢｅｅ(ZigBee Allianceの登録商標）に対応する無線集積回路（以下、「無線ＬＳＩ」という）、特にその受信データ制御技術に関するものである。
【背景技術】
【０００２】
図２は、ＺｉｇＢｅｅの通信階層モデルを示す図である。
最下位の物理層１は、実際のデータの送受信を行うもので、使用する無線周波数、変調方式、データ速度等が規定される。データリンク層２は、物理層１を介してデータを送受信するもので、媒体アクセス制御(Media Access Control:ＭＡＣ）層を有し、送受信データのフォーマット等が規定されている。これらの物理層１とデータリンク層２は、ＩＥＥＥ802.15.4に準拠している。
【０００３】
ネットワーク層３は、ネットワーク上に接続された２つのノード間でのデータ転送管理を行うものである。トランスポート層４は通信管理を行うもので、セッション層５は通信の開始から終了までの管理を行うものである。また、プレゼンテーション層６は、実際のデータ処理を行うアプリケーション層７とセッション層５との間のインタフェース管理を行うものである。
【０００４】
図３は、物理層１で行われる送受信データのフォーマットを示す図である。
先頭の４バイトは、受信同期を取るためのプリアンブル(Preamble-Sequence）で、これに１バイトの転送開始情報(Start of Frame Delimiter)と、１バイトのフレーム長情報(Frame-Length)が続く。フレーム長情報は、それ以降のデータの長さ（バイト数）を示すものである。フレーム長情報の後には、データ形式を示すフレーム制御情報(Frame-Control）が２バイト続く。フレーム制御情報の後には、１バイトのシーケンス番号(Sequence-Number）が続き、更に、可変長のアドレス領域(Addressing-Field)とデータ領域(Data-Payload)が続く。そして、データ領域の後に、２バイトの誤りチェック情報（ＦＣＳ:Frame-Check-Sequence)が付加されている。
【０００５】
図４は、図３中のフレーム制御情報のデータ構成を示す図である。
フレーム制御情報は、２ビットのフレーム形式(Frame-Type)、１ビットのセキュリティ許可(Security-enable）、１ビットのフレーム保留(Frame-Pending）、１ビットの応答要求(ACK-req）、１ビットのイントラＰＡＮ(Intra-PAN）、２ビットの送信先アドレスモード(Dist-addressing-Mode)、及び２ビットの発信元アドレスモード(Source-addressing-Mode)で構成されている。その他のビットは、未定義(Reserved)となっている。
【０００６】
フレーム形式は、このフレームがビーコン、データ、応答信号、またはコマンドのいずれであるかを示すものである。セキュリティ許可は、データを暗号化して送受信するか否かを示すものである。フレーム保留は、後述する確認応答を送信する場合に、引き続いてデータを送信するか否かを示すものである。応答要求は、データを送った相手側にそのデータに対する確認応答を要求するか否かを示すものである。イントラＰＡＮ、送信先アドレスモード、及び発信元アドレスモードは、図３中のアドレス領域の表示形式、即ち、データ長と構成を指定するものである。例えば、アドレスモードでは、アドレス表示に使用されるビット数（１６ビットまたは６４ビット）の区分が指定される。
【０００７】
図５は、図３中のアドレス領域のデータ構成を示す図である。
アドレス領域は、０または２バイトの送信先ＰＡＮ識別情報(Destination-PAN-identifier)と、０、２または８バイトの送信先アドレス(Destination-Address）と、０または２バイトの発信元ＰＡＮ識別情報(Source-PAN-identifier）と、０、２または８バイトの発信元アドレス(Source-Address)とで構成されている。これらの識別情報とアドレスのバイト数は、フレーム制御情報内のイントラＰＡＮ、送信先アドレスモード及び発信元アドレスモードによって指定されるようになっている。
【０００８】
図６は、確認応答データの構成を示す図である。
確認応答データは、データを受信したときに、送信側からそのデータに対する確認応答が要求された場合に、受信側から送信側へ応答するデータであり、１バイトのデータ長(Length)、２バイトのフレーム制御情報(Frame-Control）、１バイトのシーケンス番号(Sequence-Number）、及び２バイトの誤りチェック情報(FCS）を有している。フレーム制御情報は、図３中のフレーム制御情報、即ち図４に詳細が示されるフレーム制御情報と同一のデータ構成である。
【０００９】
ＺｉｇＢｅｅ用の無線ＬＳＩとしては、図２の通信階層モデルにおける物理層１、データリンク層２、及びネットワーク層３をどのような機能ブロックで構成するかでＬＳＩの仕様が異なってくる。例えば、比較的小規模な無線ＬＳＩでは、無線周波数信号で送受信を行うアナログ無線回路からなる無線送受信部と物理層だけをチップ化し、データリンク層以上をホスト側の中央処理装置（以下、「ＣＰＵ」という）によってソフトウエアで処理するようにしている。また、下記非特許文献１には、無線送受信部、物理層部及びデータリンク層の内のＭＡＣ層までを１チップ化し、ＩＥＥＥ802.15.4に完全準拠した無線ＬＳＩを実現し、複雑なＭＡＣ処理をこの無線ＬＳＩの内部で行うことによって、能力の低いホストＣＰＵでＺｉｇＢｅｅネットワークを制御する技術が記載されている。
【００１０】
いずれの無線ＬＳＩにおいても、物理層１においてデータの送受信を制御し、受信されたデータをデータリンク層２で解析し、指定された転送モードに従ってホスト側のＣＰＵとの間でのデータ送受信が行われる。
【００１１】
図７は、従来のＺｉｇＢｅｅの受信回路の構成図である。
この受信回路は、アンテナで受けた無線周波数信号ＲＦをベースバンド信号に変換する高周波部１１、このベースバンド信号をシンボルデータに変換する復調部１２、シンボルデータをバイトデータに変換すると共にデータの送受信を制御する物理層部１３、物理層部１３から与えられたデータの解析を行い、必要に応じて暗号化を行うデータリンク部１４、及びホスト側のＣＰＵとの間でデータの送受信を行うネットワーク部１５を有している。
【００１２】
図８は、図７の受信回路における受信データの処理フローを示す図である。
ステップＳ１において、高周波部１１が受信した無線周波数信号ＲＦによるデータはベースバンド信号に変換され、ステップＳ２において、復調部１２によってシンボルデータに変換される。
【００１３】
ステップＳ３において、シンボルデータは物理層部１３によってバイトデータに変換される（１シンボルは１６μｓ毎に受信され、２シンボルで１バイトのデータを構成する）。バイトデータに変換された受信データは、１フレーム分のデータが集まるまで保持され、その後、データリンク部１４に渡される。
【００１４】
ステップＳ４において、データリンク部１４によって受信データの解析が行われる。
まず、フレーム制御情報（図４参照）中のイントラＰＡＮ、送信先アドレスモード及び発信元アドレスモードに基づいて、アドレス領域（図５参照）の各項目のデータ長と構成を解読する。
【００１５】
次に、アドレス領域の送信先ＰＡＮ識別情報と送信先アドレスによって、自分宛てのデータであるか否かを判断する。自分宛てのデータであれば、発信元ＰＡＮ識別情報と発信元アドレス及び予め登録されているデータベースを参照し、セキュリティモードが設定されているか否かを判定する。
【００１６】
セキュリティモードが設定されていなければ、受信データはそのままネットワーク部１５へ渡される。セキュリティモードが設定されていれば、暗号化／復号化に必要なデータをセットして受信データを復号化した後、ネットワーク部１５へ渡される。
【００１７】
更に、フレーム制御情報中の応答要求がセットされているか否かを調べ、応答要求がセットされていれば、送信側に確認応答データ（図６参照）を含むフレームで応答する。この時、確認応答データを出力した後に引き続いてデータを出力する場合には、確認応答データのフレーム制御情報中のフレーム保留（図４参照）をセットして送信する。
【００１８】
ステップＳ５において、ネットワーク部１５からホスト側のＣＰＵに、受信データが送られる。
【００１９】
【非特許文献１】沖テクニカルレビュー、沖電気工業（株）、2004.10.1、第７１巻、第４号、p.24-29
【発明の開示】
【発明が解決しようとする課題】
【００２０】
しかしながら、前記受信回路では、次のような課題があった。
即ち、物理層部１３で受信完了したデータをデータリンク部１４で解析する場合、まず、フレーム制御情報中のイントラＰＡＮ、送信先アドレスモード及び発信元アドレスモードを調べてアドレス領域の各項目のデータ長と構成を解読し、次に、このアドレス領域の送信先ＰＡＮ識別情報と送信先アドレスによって、自分宛てのデータであるか否かを判断する。
【００２１】
自分宛てのデータであれば、発信元ＰＡＮ識別情報と発信元アドレス及び予め登録されているデータベースを参照してセキュリティモードが設定されているか否かを判定し、セキュリティモードの場合は、暗号化／復号化に必要なデータをセットする。
【００２２】
更に、フレーム制御情報中の応答要求がセットされているか否かを調べ、応答要求がセットされていれば、確認応答データに引き続いて出力するデータが存在するか否かを調べ、それに応じて確認応答データのフレーム制御情報中のフレーム保留をセットし、送信側に確認応答データを含むフレームで応答する。
【００２３】
データリンク部１４では、これらをすべてソフトウエアによって処理しているため、多くの処理ステップが必要となり、使用するプロセッサの処理能力やその時点での状況によっては処理が遅延し、規定の時間内（１９２μｓ以内）に確認応答データを送信することができなくなるというおそれがあった。
【００２４】
本発明は、受信データの制御を高速化することによって確認応答データの送信に遅延を起こさせることのない無線ＬＳＩを提供することを目的としている。
【課題を解決するための手段】
【００２５】
本発明は、所定の無線通信規格に従って送られて来る無線信号を復調して所定のフォーマットの受信データを復元すると共に、該受信データで指定された情報に応じて生成された確認応答データを変調して該無線通信規格に従った無線信号で送信する送受信部と、前記送受信部で復元された前記受信データを受け取り、該受信データに対する応答要求が指定されている場合には前記確認応答データを生成するデータリンク部とを備えた無線ＬＳＩにおいて、送受信部に次のような手段を設けている。
【００２６】
即ち、この送受信部は、復元中の受信データを監視し、該受信データ中で発信元のアドレスの表示形式に関する情報を含むフレーム制御情報を保持する第１の保持手段と、前記第１の保持手段に保持された前記フレーム制御情報を解読し、前記受信データ中で前記発信元のアドレスが表示されるアドレス領域のデータ長と構成の情報を出力する解読手段と、前記解読手段から出力される前記アドレス領域のデータ長と構成の情報に従い、前記復元中の受信データから前記発信元のアドレスを保持する第２の保持手段と、前記確認応答データに引き続いて送信すべきデータが存在する相手のアドレスを登録する登録手段と、前記第２の保持手段に保持された前記発信元のアドレスと前記登録手段に登録された相手のアドレスとを比較して比較結果を前記データリンク部へ与える比較手段とを有している。
【発明の効果】
【００２７】
本発明では、送受信部で受信中の受信データを監視し、フレーム制御情報が受信されたときにこれを保持する第１の保持手段と、保持した情報に基づいてアドレス領域のデータ長と構成を解読する解読手段を有している。これにより、受信データの受信中に発信元のアドレスが表示される領域を知ることができる。更に、アドレス領域に示されたアドレスと登録手段に登録されたアドレスを比較する比較手段を有しているので、その発信元に送信すべきデータがあるか否かをデータの受信中に判定することができる。従って、データリンク部では、確認応答データを遅延させずに送信することが可能になるという効果がある。
【発明を実施するための最良の形態】
【００２８】
送受信部に、復元中の受信データを監視し、この受信データ中で発信元のアドレスの表示形式に関する情報を含むフレーム制御情報を保持する保持手段と、保持手段に保持されたフレーム制御情報を解読し、受信データ中で発信元のアドレスが表示されるアドレス領域のデータ長と構成の情報を出力する解読手段と、解読手段から出力されるアドレス領域のデータ長と構成の情報に従って復元中の受信データを監視し、受信データによって発信元のアドレスのデータが確定した時点で、データリンク部へ割り込みを行って発信元のアドレスのデータを通知する割り込み制御手段を設けるようにしても良い。
【実施例１】
【００２９】
図１は、本発明の実施例１を示す無線ＬＳＩの概略の機能ブロック図である。
この無線ＬＳＩは、近距離無線通信技術の規格であるＺｉｇＢｅｅに対応するＬＳＩで、無線周波数信号ＲＦによるデータの送受信を行う物理層を実現するためのハードウエアである送受信部２０Ａ、この送受信部２０Ａを介してデータを送受信するＭＡＣ処理部等を有してデータリンク層の処理を実現するデータリンク部３０Ａ、及びホスト５０との間のデータ転送を行うネットワーク部４０等をチップ化したものである。
【００３０】
送受信部２０Ａは、内蔵または外付けのアンテナによって２．４ＧＨｚ帯の無線周波数信号ＲＦの送受信を行う高周波部２１、送信データＳＤをＯ−ＱＰＳＫ（オフセット直交位相シフト変調）信号に変調して高周波部２１に与える変調部２２、高周波部２１で受信したＯ−ＱＰＳＫ信号から受信データＲＤを復元する復調部２３、送信データＳＤと受信データＲＤをデータリンク部３０Ａとの間で転送すると共に、送受信の全般的な制御を行うデータ送受信制御部２４を有している。
【００３１】
更に、この送受信部２０Ａは、一般的にデータリンク層のＭＡＣ処理部で行われる処理の一部を代行するためのハードウエアとして、第１及び第２の保持手段（例えば、ラッチ回路）２５、解読手段（例えば、デコーダ）２６、登録手段（例えば、レジスタ）２７、及び比較手段（例えば、比較回路）２８を備えている。
【００３２】
ラッチ回路２５は、復調部２３で復元された受信データＲＤを入力とし、この受信データＲＤを監視してその一部、即ちフレーム制御情報(Frame-Control）とアドレス領域(Addressing-Field)を保持するものである。デコーダ２６は、ラッチ回路２５で保持されたフレーム制御情報を解析し、アドレス領域のデータ長と構成を決定するものである。
【００３３】
レジスタ２７は、フレーム保留(Frame-Pending）のセット／リセットを行うデバイスの情報を設定するものである。このレジスタ２７には、送信すべきデータが準備できている相手側のアドレスを登録するようになっている。また、比較回路２８は、レジスタ２７に設定された相手側のアドレスと受信データＲＤのアドレス領域に示されるアドレスとの比較を行うものである。比較回路２８の比較結果は、データリンク部３０Ａに与えられるようになっている。
【００３４】
データリンク３０Ａは、比較回路２８から与えられる比較結果の情報に基づいて、データリンク層の処理を行うものである。従って、従来のＭＡＣ処理部で行っていた処理の内、アドレス領域の解析処理とフレーム保留の判定処理は省略されている。
【００３５】
図９は、実施例１における受信データの処理フローを示す図である。
アンテナで受信された無線周波数信号ＲＦは、高周波部２１によってベースバンド信号に変換され、復調部２３によって受信データＲＤに復調される。復調された受信データＲＤは、データ送受信制御部２４に与えられて一時的に保持されると共に、ラッチ回路２５にも与えられる。
【００３６】
ラッチ回路２５では、与えられた受信データＲＤの中のフレーム制御情報(Frame-Control）が確定した時点（時刻Ｔ１）で、このフレーム制御情報を保持する。保持されたフレーム制御情報は、直ちにデコーダ２６に与えられる。デコーダ２６では、与えられたフレーム制御情報に基づいて、アドレス領域(Addressing-Field)のデータ長とデータ構成を決定する。アドレス領域のデータ長とデータ構成は、ラッチ回路２５に与えられる。
【００３７】
ラッチ回路２５では、今度はデコーダ２６で決定されたアドレス領域のデータ長とデータ構成の情報に従い、受信データＲＤの中のアドレス領域をラッチする（時刻Ｔ２）。ラッチ回路２５にラッチされたアドレス領域の情報は、比較回路２８に与えられる。
【００３８】
比較回路２８では、レジスタ２７に設定されているアドレスとアドレス領域の情報とを比較し、フレーム保留(Frame-Pending）のセット／リセットを決定し、その結果をデータリンク部３０Ａに出力する。
【００３９】
データリンク部３０Ａでは、比較回路２８から与えられる比較結果の情報に基づいて確認応答データを準備し、受信データＲＤの受信完了後、データ送受信制御部２４に対して確認応答データの送信要求を行う。確認応答データは、データ送受信制御部２４から変調部２２へ渡されてＯ−ＱＰＳＫ信号に変調され、高周波部２１で無線周波数信号ＲＦに変換されてアンテナから送信される。
【００４０】
図１０は、実施例１の効果の説明図である。
従来、図１０（ａ）に示すように、受信データＲＤがすべて受信された段階で、その受信データＲＤが一括して物理層からデータリンク層へ渡され、このデータリンク層のＭＡＣ処理によって確認応答データが生成されていた。
【００４１】
これに対し、実施例１では、図１０（ｂ）に示すように、受信データＲＤの内のアドレス領域の受信が完了した時点で、フレーム保留のセット／リセットの情報がデータリンク層へ渡される。従って、データリンク層では、確認応答データに必要な情報が予め知らされているので、受信データＲＤがすべて受信されて、その受信データＲＤが一括して物理層からデータリンク層へ渡された時点で、必要に応じて（応答要求が設定されている場合に）、直ちに確認応答データを送信することが可能になる。
【００４２】
以上のように、この実施例１の無線ＬＳＩは、送受信部２０Ａで受信中の受信データＲＤからフレーム制御情報をラッチし、このフレーム制御情報を解読してアドレス領域のデータ長とデータ構造をデコードし、デコードしたアドレス領域の情報に従って受信データＲＤのアドレス領域をラッチするラッチ回路２５とデコーダ２６、及びラッチしたアドレス領域に基づいてフレーム保留のセット／リセットを決定するレジスタ２７と比較回路２８を有している。これにより、受信データＲＤの受信が完了する前に、確認応答データに必要な情報が得られるので、確認応答データの送信に遅延を起こさせることがなくなるという利点がある。
【実施例２】
【００４３】
図１１は、本発明の実施例２を示す無線ＬＳＩの概略の機能ブロック図であり、図１中の要素と共通の要素には共通の符号が付されている。
【００４４】
この無線ＬＳＩは、図１における送受信部２０Ａとデータリンク部３０Ａに代えて、若干機能の異なる送受信部２０Ｂとデータリンク部３０Ｂを設けたものである。
【００４５】
送受信部２０Ｂは、送受信部２０Ａのレジスタ２７と比較回路２８に代えて、割り込み制御手段（例えば、割り込み制御回路）２９を有している。割り込み制御回路２９は、受信データＲＤ中のアドレス領域(Addressing-Field)のデータが確定した時点で、データリンク部３０Ｂへ割り込みを行い、このデータリンク部３０ＢのＭＡＣ処理部に対してアドレス領域のデータを通知するものである。
【００４６】
一方、データリンク部３０Ｂは、通常のデータリンク層としての処理機能に加えて、割り込み制御回路２９からの割り込みを検出した時に、この割り込み制御回路２９からアドレス領域のデータを受け取り、フレーム保留(Frame-Pending）のセット／リセットの判断を行う機能が付加されている。その他の構成は、図１と同様である。
【００４７】
図１２は、実施例２における受信データの処理フローを示す図である。
高周波部２１、復調部２３、データ送受信制御部２４、ラッチ回路２５及びデコーダ２６の動作は実施例１と同様であり、受信データＲＤの中のフレーム制御情報(Frame-Control）が確定した時点（時刻Ｔ１）で、このフレーム制御情報がラッチ回路２５に保持される。保持されたフレーム制御情報は、直ちにデコーダ２６に与えられてアドレス領域(Addressing-Field)のデータ長とデータ構成が決定され、ラッチ回路２５に与えられる。
【００４８】
更に、このアドレス領域のデータ長とデータ構成の情報に基づいて、受信データＲＤの中のアドレス領域がラッチ回路２５にラッチされる（時刻Ｔ２）。
【００４９】
この時点で、割り込み制御回路２９からデータリンク部３０Ｂへの割り込みが行われ、このデータリンク部３０Ｂに対してアドレス領域のデータが通知される。データリンク部３０ＢのＭＡＣ処理部では、通知されたアドレス領域のデータに基づいてフレーム保留(Frame-Pending）のセット／リセットの判断が行われる。その後の動作は、実施例１と同様である。
【００５０】
以上のように、この実施例２の無線ＬＳＩは、送受信部２０Ｂで受信中の受信データＲＤからフレーム制御情報をラッチし、このフレーム制御情報を解読してアドレス領域のデータ長とデータ構造をデコードし、デコードしたアドレス領域の情報に従って受信データＲＤのアドレス領域をラッチするラッチ回路２５とデコーダ２６、及びアドレス領域のデータが確定したときにデータリンク部３０Ｂに割り込みをかけて、このアドレス領域のデータを通知する割り込み制御回路２９を有している。これにより、データリンク部３０Ｂでは、受信データＲＤの受信が完了する前に、確認応答データに必要な情報が得られるので、実施例１と同様の利点がある。
【図面の簡単な説明】
【００５１】
【図１】本発明の実施例１を示す無線ＬＳＩの概略の機能ブロック図である。
【図２】ＺｉｇＢｅｅの通信階層モデルを示す図である。
【図３】物理層１で行われる送受信データのフォーマットを示す図である。
【図４】図３中のフレーム制御情報のデータ構成を示す図である。
【図５】図３中のアドレス領域のデータ構成を示す図である。
【図６】確認応答データの構成を示す図である。
【図７】従来のＺｉｇＢｅｅの受信回路の構成図である。
【図８】図７の受信回路における受信データの処理フローを示す図である。
【図９】実施例１における受信データの処理フローを示す図である。
【図１０】実施例１の効果の説明図である。
【図１１】本発明の実施例２を示す無線ＬＳＩの概略の機能ブロック図である。
【図１２】実施例２における受信データの処理フローを示す図である。
【符号の説明】
【００５２】
２０Ａ，２０Ｂ    送受信部
２１    高周波部
２２    変調部
２３    復調部
２４    データ送受信制御部
２５    ラッチ回路
２６    デコーダ
２７    レジスタ
２８    比較回路
２９    割り込み制御回路
３０Ａ，３０Ｂ    データリンク部
４０    ネットワーク部
【図１】
2006229525.tif 000003
【図２】
2006229525.tif 000004
【図３】
2006229525.tif 000005
【図４】
2006229525.tif 000006
【図５】
2006229525.tif 000007
【図６】
2006229525.tif 000008
【図７】
2006229525.tif 000009
【図８】
2006229525.tif 000010
【図９】
2006229525.tif 000011
【図１０】
2006229525.tif 000012
【図１１】
2006229525.tif 000013
【図１２】
2006229525.tif 000014